(57)【要約】      （修正有）【課題】デジカメ画像の取り扱い操作を効率的にして電子ネガの作成効率を向上させる。【解決手段】利用者のデジカメ撮影データをフォルダにまとめて画像処理システム１０に取り込む。フォルダ内の画像ファイルを読み出し、オリジナル画像フォルダ作成手段０２を介して読み出した画像ファイルをフォルダに出力する。また、読み出した画像ファイルからＣＤジャケット用のインデックス画像を生成してフォルダに出力する。また、該画像ファイルをＶＦＺ画像フォーマットに変換してフォルダに出力する。また、ＨＴＭＬインデックス画像フォルダ作成手段０５を介してインデックス画像をホームページと同じＨＴＭＬ形式に変換してフォルダに出力する。また、ＶＦＺ画像と同じ通し番号のサムネール画像を生成してフォルダに出力する。また、セットアップフォルダ作成手段０７を介してＶＦＺ画像の閲覧ソフトのセットアップファイルをフォルダに出力する。【選択図】      図３
2004227151.tif 000002
【特許請求の範囲】
【請求項１】
デジタルカメラで撮影したデータをＤＰＥプリントする際に、バックアップ用のオリジナル画像などを電子ネガ（ＣＤ−Ｒ）に収録するシステムであって、
ダイアログにフォルダを移動して入力されたフォルダ内の画像ファイルを逐一読み出す読出手段と、
読み出した画像ファイルをオリジナル画像としてそのままコピーしてフォルダに出力するオリジナル画像フォルダ作成手段と、
読み出した画像ファイルからＣＤジャケット用のインデックス画像を生成してフォルダに出力するインデックス画像フォルダ作成手段と、
読み出した画像ファイルを所定フォーマットのベクトル画像に変換してフォルダに出力するベクトル画像フォルダ作成手段と、
を備えてなる電子ネガ作成システム。
【請求項２】
前記インデックス画像をホームページと同じＨＴＭＬ形式に変換してフォルダに出力するＨＴＭＬインデックス画像フォルダ作成手段を備えてなる請求項１記載の電子ネガ作成システム。
【請求項３】
前記ベクトル画像と同じ通し番号のサムネール画像を生成してフォルダに出力するサムネール画像フォルダ作成手段を備えてなる請求項１記載の電子ネガ作成システム。
【請求項４】
前記ベクトル画像の閲覧ソフトのセットアップファイルをフォルダに出力するセットアップフォルダ作成手段を備えてなる請求項１記載の電子ネガ作成システム。
【請求項５】
前記フォルダの移動はドラッグ＆ドロップを用いて行うことを特徴とする請求項１記載の電子ネガ作成システム。
【発明の詳細な説明】
【０００１】
【発明の属する技術分野】
本発明は、ＤＰＥショップなどにおいてデジタルカメラで撮影したデータを通常のフィルム写真と同様の仕上がりでプリントサービスする際に、バックアップ用のオリジナル画像などを電子ネガ（ＣＤ−Ｒ）に収録する電子ネガ作成システムに関する。
【０００２】
【発明が解決しようとする課題】
デジカメプリントサービスは、利用者がデジタルカメラで撮影したデータをＤＰＥショップなどに持ち込んで銀塩写真並みの仕上がりのプリント画像にしてもらうサービスである。
このとき、ＤＰＥショップはバックアップ用のオリジナル画像を収録した電子ネガ（ＣＤ−Ｒ）と、ＣＤジャケット用のインデックスプリントを作成して利用者に提供する。
また、電子ネガに、画像の検索や整理に便利なサムネール画像を付加したり、オリジナル画像をベクトル画像に変換して付加すると、デジカメ画像をより効果的に活用できるようになる。
特にベクトル画像は、画像を非損失で完全可逆圧縮するので保存を繰り返しても極めて劣化が少ない特性を生かしてさまざまな加工・修整が楽しめる。
【０００３】
通常、デジタル画像は画像１枚１枚にファイル名を付けて処理される。
例えばオリジナル画像をベクトル画像に変換する場合、名前を指定してオリジナル画像をパソコンに入力し、メニューの「ファイル」→「名前を付けて保存」を選択して次に出てくる「ファイルの種類」のリストの中からベクトル画像のフォーマットを選択して行う。
このため、各ＤＰＥショップでプリントオーダされた画像１枚１枚に対してこのような操作を行っていたのでは、電子ネガを作成するために大変な労力と時間が掛かってしまう。
【０００４】
そこで本発明は、デジカメ画像の取り扱い操作をより効率的にして電子ネガの作成効率を向上させることを目的になされたものである。
【０００５】
【課題を解決するための手段】
かかる目的を達成するために、本発明は以下のように構成した。
【０００６】
すなわち、本発明の電子ネガ作成システムは、ダイアログにフォルダを移動して入力されたフォルダ内の画像ファイルを逐一読み出す読出手段と、読み出した画像ファイルをオリジナル画像としてそのままコピーしてフォルダに出力するオリジナル画像フォルダ作成手段と、読み出した画像ファイルからＣＤジャケット用のインデックス画像を生成してフォルダに出力するインデックス画像フォルダ作成手段と、読み出した画像ファイルを所定フォーマットのベクトル画像に変換してフォルダに出力するベクトル画像フォルダ作成手段を備えることにより上記目的が達成される。
【０００７】
また、好ましくは、前記インデックス画像をホームページと同じＨＴＭＬ形式に変換してフォルダに出力するＨＴＭＬインデックス画像フォルダ作成手段を備える。
【０００８】
また、好ましくは、前記ベクトル画像と同じ通し番号のサムネール画像を生成してフォルダに出力するサムネール画像フォルダ作成手段を備える。
【０００９】
また、好ましくは、前記ベクトル画像の閲覧ソフトのセットアップファイルをフォルダに出力するセットアップフォルダ作成手段を備える。
【００１０】
また、好ましくは、前記フォルダの移動はドラッグ＆ドロップを用いて行う。
【００１１】
【発明の実施の形態】
以下に図面を参照して、本発明の実施の形態について説明する。
【００１２】
図１に、本発明を実施した電子ネガ作成システムの処理の流れを示す。
電子ネガ作成システムは、利用者がデジカメ１またはメモリカード２をＤＰＥショップに持ち込み、ＤＰＥショップはデジカメ撮影データを画像処理システム１０に取り込み、ＪＰＥＧのオリジナル画像の他に全画像をＶＦＺフォーマットに変換してサムネール画像やＶＦＺビューアなどと一緒にＣＤ−Ｒ３（電子ネガ）に焼き込む。
このとき、同時にＣＤジャケット用のインデックスプリント４を作成する。
【００１３】
利用者はＣＤ−Ｒ３を受け取り、それを自宅のパソコン２０などに入力してＶＦＺビューアをインストールし、ＶＦＺファイルを開いて拡大・縮小してもジャギーが極めて少ない高品位のＶＦＺ画像を閲覧する。
内容を確認してＯＫであれば、ＣＤ−Ｒ３をＤＰＥショップに持ち込み、プリントしたい画像（コマ）や枚数を指定してプリントを依頼する。
あるいは、拡大・縮小してもジャギーが極めて少なく、加工・修整を繰り返しても極めて劣化が少ないＶＦＺ画像の特性を生かしてさまざまな加工・修整を加え、処理結果をＭＯなどの記録メディア５に保存してプリントを依頼する。
ＤＰＥショップは、依頼されたデータを画像処理システム１０に取り込み、銀塩写真方式または熱転写方式のプリンタに出力する。
利用者は依頼したデータの画像プリント６を受け取る。
【００１４】
ＶＦＺは、デジタル・パブリッシング・ジャパン社が開発した画像フォーマットで、ＲＧＢそれぞれの輝度を分布成分とベクトル成分に分解し、１ファイル内に５階層の品質の異なるレイヤーで画像を保存することにより、必要なレベルに応じて最適な画質の高品位画像を出力することができる。また、画像を非損失で完全可逆圧縮するので、５〜１２００％までの倍率で極めて劣化が少なく画像を拡大・縮小することができる。
【００１５】
図２に、本発明を実施した画像処理システムの構成図を示す。
画像処理システム１０は、パソコン１１にデジカメ１を直接接続するＵＳＢ接続ケーブル１２と、メモリカード２を挿入するカードスロット（カードリーダ）１３と、処理結果をＣＤ−Ｒ３に保存するＣＤ−Ｒドライブ１４を備え、外部に銀塩写真方式または熱転写方式の業務用プリンタ１５をネットワーク接続する。
【００１６】
図３に、本発明を実施した電子ネガ作成システムのブロック図を示す。
電子ネガ作成システムは、利用者がデジカメ１またはメモリカード２をＤＰＥショップに持ち込み、ＤＰＥショップは利用者のデジカメ撮影データをフォルダにまとめて画像処理システム１０に取り込む。
画像処理システム１０は、読出手段０１を介してフォルダ内の画像ファイルを逐一読み出し、オリジナル画像フォルダ作成手段０２を介して読み出した画像ファイルをそのままコピーしてフォルダに出力する。
また、インデックス画像フォルダ作成手段０３を介して読み出した画像ファイルからＣＤジャケット用のインデックス画像を生成してフォルダに出力する。
また、ベクトル画像フォルダ作成手段０４を介して読み出した画像ファイルをＶＦＺ画像フォーマットに変換してフォルダに出力する。
また、ＨＴＭＬインデックス画像フォルダ作成手段０５を介してインデックス画像をホームページと同じＨＴＭＬ形式に変換してフォルダに出力する。
また、サムネール画像フォルダ作成手段０６を介してＶＦＺ画像と同じ通し番号のサムネール画像を生成してフォルダに出力する。
また、セットアップフォルダ作成手段０７を介してＶＦＺ画像の閲覧ソフトのセットアップファイルをフォルダに出力する。
【００１７】
図４に、本発明を実施した電子ネガ作成システムの画面遷移図を示す。
電子ネガ作成システムは、フォルダ入力画面Ｓ１と、ＣＤジャケット設定画面Ｓ２と、ＨＴＭＬ設定画面Ｓ３と、ＶＦＺ設定画面Ｓ４で構成し、フォルダ入力画面Ｓ１の「設定ボタン」をクリックして各画面を切り替えるようになっている。
【００１８】
フォルダ入力画面Ｓ１は、アプリケーションを起動すると表示され、ここに画像フォルダを移動してこの後説明するＣＤ−Ｒの作成処理を行う。
ＣＤジャケット設定画面Ｓ２は、ＣＤジャケット用のインデックスプリントの１枚にプリントされる画像レイアウト数を設定する。
ＨＴＭＬ設定画面Ｓ３は、インターネット用ブラウザでインデックスを閲覧するときの１画面に表示される画像レイアウト数を設定する。
ＶＦＺ設定画面Ｓ４は、ＶＦＺビューアでＶＦＺファイルを開くときの表示レベルを設定する。通常はレベル５に設定する。
【００１９】
図５に、ＣＤ−Ｒの作成手順を示す。
ＣＤ−Ｒの作成手順は、最初に、本発明のＣＤ−Ｒ作成用プログラムを起動してフォルダ入力画面Ｓ１を開く（ステップ１０１）。
次に、デジカメ１またはメモリカード２から画像フォルダを入力してドラッグ＆ドロップでフォルダ入力画面Ｓ１の指定スペースに移動する（ステップ１０２）。
これにより自動的に変換処理が開始される（ステップ１０３）。
ＣＤ出力用の画像フォルダには下記のデータが作成される。
「ｈｅｌｐ」フォルダにＶＦＺビューアをインストールする際の手続きプログラムがＷｉｎｄｏｗｓ版とＭａｃｉｎｔｏｓｈ版で格納される。
これにより、ＶＦＺのユーザでなくてもＶＦＺ画像が閲覧できるようになる。
「ｏｒｇ」フォルダにＪＰＥＧのオリジナル画像がそのままコピーされる。
「ｖｆｚ」フォルダにＪＰＥＧのビットマップ画像をＶＦＺのベクトル画像に変換して通し番号を付けたＶＦＺファイルが収納される。
「ｉｍｇ」フォルダにインターネット用ブラウザで見るためのイメージデータが収納される。
「ｔｈｕｍｂ」フォルダにＶＦＺファイルと同じ通し番号を付けたサムネール（ＪＰＥＧの縮小）画像が作成される。
「ｉｎｄｅｘ」ファイルにあらかじめ登録されたテンプレートを参照して作成したホームページと同じＨＴＭＬ形式でサムネール画像がリンク付けされる。
これを開くと、Ｗｉｎｄｏｗｓ（登録商標）、Ｍａｃｉｎｔｏｓｈ（登録商標）というパソコンのプラットフォームに関係なくインターネット用ブラウザでサムネール画像が閲覧できる。
これにより、サムネール画像を見るための専用の閲覧ソフトが不要になる。
「ｉｎｄｅｘ０」ファイルに通し番号順に画像を並べて作成したＴＩＦＦフォーマットのＣＤジャケット用のインデックス画像が収納される。
ファイルは１枚のプリントに対応し、プリントが２枚以上になるときは新たなファイルが追加される。
この後、ＣＤ出力用の画像フォルダをＣＤ−Ｒ３に焼き込み、ＣＤジャケット用のインデックスプリント４を出力する。
以上により作成したＣＤ−Ｒ３（電子ネガ）とインデックスプリント４をＣＤジャケットに添付して利用者に提供する。
【００２０】
図６に、ＣＤ−Ｒの閲覧手順を示す。
ＣＤ−Ｒの閲覧手順は、最初に、ＣＤ−Ｒ３の「ｉｎｄｅｘ」ファイルを開いてインデックス画面を表示し（ステップ２０１）、ＶＦＺビューアをインストールする場合は、インデックス画面のＷｉｎｄｏｗｓ版とＭａｃｉｎｔｏｓｈ版のＯＳ別の「ダウンロード」ボタンのいずれかをクリックしてインストールプログラムをダウンロードする（ステップ２０２）。
インストールは１回のみ行えば、それ以降は他のＶＦＺファイルも見ることができるようになる。
次に、表示されているサムネール画像を選択してクリックする（ステップ２０３）。
サムネール画像を選択するとダイアログが表示されるので、次にダイアログの「開く」または「保存」ボタンのいずれかをクリックする。
「開く」ボタンをクリックすると、ＶＦＺビューアが起動してその画像のＶＦＺファイルを開き、拡大画像が表示される（ステップ２０４）。
「保存」ボタンをクリックすると、その画像のＶＦＺファイルがパソコン内に保存される（ステップ２０５）。
Ｍａｃｉｎｔｏｓｈ版ＯＳの場合は、サムネール画像をクリックすると、自動的にＶＦＺビューアが起動してその画像のＶＦＺファイルを開く。
パソコン内に保存したＶＦＺファイルを加工・修正する場合は、処理した画像データをＭＯなどの記録メディア５に保存する（ステップ２０６）。
【００２１】
【発明の効果】
以上説明したように、本発明によれば、プリントオーダを受けた画像ファイルをフォルダにまとめてフォルダ入力画面に移動するだけで、オリジナル画像の他にそれを変換したベクトル画像などが一括作成されるので、例えば画像１枚１枚を呼び出してベクトル画像に変換するなどの操作が不要になり、電子ネガの作成効率が大幅に向上する。
また、フォルダの移動をドラッグ＆ドロップで行うので、簡単で素早い操作が可能になる。
【図面の簡単な説明】
【図１】本発明を実施した電子ネガ作成システムの処理の流れ図である。
【図２】本発明を実施した画像処理システムの構成図である。
【図３】本発明を実施した電子ネガ作成システムのブロック図である。
【図４】本発明を実施した電子ネガ作成システムの画面遷移図である。
【図５】ＣＤ−Ｒの作成手順を示す流れ図である。
【図６】ＣＤ−Ｒの閲覧手順を示す流れ図である。
【符号の説明】
０１            読出手段
０２            オリジナル画像フォルダ作成手段
０３            インデックス画像フォルダ作成手段
０４            ベクトル画像フォルダ作成手段
０５            ＨＴＭＬインデックス画像フォルダ作成手段
０６            サムネール画像フォルダ作成手段
０７            セットアップフォルダ作成手段
１            デジカメ
２            メモリカード
３            ＣＤ−Ｒ
４            インデックスプリント
５            記録メディア
６            画像プリント
１０            画像処理システム
１１            パソコン
１２            ＵＳＢ接続ケーブル
１３            カードスロット
１４            ＣＤ−Ｒドライブ
１５            業務用プリンタ
２０            パソコン
Ｓ１            フォルダ入力画面
Ｓ２            ＣＤジャケット設定画面
Ｓ３            ＨＴＭＬ設定画面
Ｓ４            ＶＦＺ設定画面
【図１】
2004227151.tif 000003
【図２】
2004227151.tif 000004
【図３】
2004227151.tif 000005
【図４】
2004227151.tif 000006
【図５】
2004227151.tif 000007
【図６】
2004227151.tif 000008